(57)【要約】【課題】施工性及び仕上がり性を向上させる。【解決手段】支持桟７にはＬ字状の切除縁６における横切除端面８に載設する載設片９及び切除縁６における縦切除端面１０に当接する当接片２３を設ける。載設片９を横切除端面８に載設する。当接片２３を縦切除端面１０に当接させて支持桟７を切除縁６に沿って取り付ける。対向している支持桟７、７間にコーナー天井部材１１を固定した。【選択図】　　　　図１
2004052465.tif 000002
【特許請求の範囲】
【請求項１】
直方体形状に製作されたユニットルームにおいて、家屋の梁に合致するルーム天井及び背板も含めたルーム側壁が構成しているコーナー天井部を切除して切除部を形成し、切除部において対向するルーム側壁のＬ字状の切除縁に沿って支持桟を取り付け、対向する支持桟間に切除部に合致する断面Ｌ字状のコーナー天井部材を付設するユニットルームの施工構造であって、支持桟にはＬ字状の切除縁における横切除端面に載設する載設片及び切除縁における縦切除端面に当接する当接片を設け、載設片を横切除端面に載設し、当接片を縦切除端面に当接させて支持桟を切除縁に沿って取り付け、対向している支持桟間にコーナー天井部材を固定して成ることを特徴とするユニットルームの施工構造。
【請求項２】
Ｌ字状の支持桟は、横片と縦片とで形成され、横片には載設片が、縦片には当接片が形成され、横片及び縦片の突き合わせ端縁には斜めとなる斜め突き合わせ縁が形成され、横片と縦片とが各々の斜め突き合わせ縁において突き合わされて成ることを特徴とする請求項１記載のユニットルームの施工構造。
【請求項３】
断面略Ｌ字状のコーナー天井部材は天井片と縦板片とで構成し、縦板片の上部内面に固定するルーム天井固定桟を上片、下片及び垂下片とで断面略Ｆ字状に形成し、上片及び下片との間の支持溝にルーム天井の端部を挿入して上片、下片及びルーム天井を貫通するビスにて固定して成ることを特徴とする請求項１記載のユニットルームの施工構造。
【請求項４】
断面略Ｌ字状のコーナー天井部材は天井片と縦板片とで構成し、天井片の外端部を保持する天井片固定桟を上片材、下片材及び垂下片材とで断面略Ｆ字状に形成し、天井片固定桟の垂下片材をユニットルームの背板も含めたルーム側壁に固定し、上片材及び下片材との間の支持溝に天井片の外端部を挿入して上片材、下片材及び天井片を貫通するビスにて固定して成ることを特徴とする請求項１記載のユニットルームの施工構造。
【請求項５】
ルーム天井固定桟又は天井片固定桟にユニットルーム内に突出して天井廻り縁を接続する接続突起を設けて成ることを特徴とする請求項３又は４記載のユニットルームの施工構造。
【請求項６】
切除部に臨むユニットルームの背板も含めたルーム側壁の切断上縁部に防水テープを貼着して成ることを特徴とする請求項１記載のユニットルームの施工構造。
【発明の詳細な説明】
【０００１】
【発明の属する技術分野】
本発明は、ユニットバスのようなユニットルームの施工構造に関し、詳しくは、直方体形状に製作されたユニットルームにおいて、家屋の梁に合致するルーム天井及び背板も含めたルーム側壁が構成しているコーナー天井部を切除して切除部を形成し、切除部に合致する断面Ｌ字状のコーナー天井部材を付設するユニットルームの施工構造に関し、更に詳しくは、施工性及び仕上がり性を向上させようとする技術に係るものである。
【０００２】
【従来の技術】
従来、ユニットルームの施工構造においては、図１６（ａ）に示すように、直方体形状に製作されたユニットルームＡ’において、家屋の梁１に合致するルーム天井２及び背板２０に含めたルーム側壁３が構成しているコーナー天井部を切除して切除部５を形成し、同図（ｂ）に示すように、切除部５において対向するルーム側壁３、３のＬ字状の切除縁６に沿って支持桟７’を取り付け、又、同図（ｃ）に示すように、背板２０となるルーム側壁３にも上桟４’を取り付け、対向する支持桟７’間及び上桟４’に切除部５に合致する断面Ｌ字状のコーナー天井部材１１’を付設するものである。
【０００３】
この場合、図１６（ｂ）に示すように、支持桟７’はルーム側壁３のＬ字状の切除縁６に沿って、又、上桟４’は背板２０となるルーム側壁３の切欠き上縁２５に沿って、例えば、エポキシ系の接着剤Ｂにて貼着させるものであることから、接着剤Ｂが充分に硬化（硬化時間：約３０分）するのを待たなければならなくて施工に時間を要すること、支持桟７’及び上桟４’の位置を正確に出し難いこと、支持桟７’及び上桟４’の取り付けを安定化させ難いこと、及び、支持桟７’及び上桟４’の相互の関係を維持し難いこと等となっていた。
【０００４】
因みに、コーナー天井部材１１’は、図１７に示すように、梁欠きパネル３６を梁１の幅及び高さに合わせたサイズにカットし、補強木３７をエポキシ系の接着剤Ｂにて接着し、硬化を待つものである。
【０００５】
そこで、従来においては、図１８に示すように、支持桟７’とルーム側壁３のパネル上端枠２６とにわたって三角形の補強プレート２７を、支持桟７’とルーム側壁３のパネル側枠２８とにわたって同様の補強プレート２７を、更に、背板２０となるルーム側壁３の上桟４’と同ルーム側壁３のパネル側枠２８とにわたって同様の補強プレート２７をビス２９…にて固定して補強を図るとともに位置決めをおこなうものである。
【０００６】
更に、従来においては、図１９に示すように、断面Ｌ字状のコーナー天井部材１１’の長さ方向の両端縁、コーナー天井部材１１’の天井片１２’の後端縁部にアングル状の固定用金具３０をビス２９…にて取り付け、又、図２０に示すように、コーナー天井部材１１’の縦板片１３’の上縁内面に横向きＴ字状の取付金具３１をビス２９にて取り付け、しかして、図２１及び図２２に示すように、ユニットルームＡ’側の支持桟７’にこれに対向しているコーナー天井部材１１’側の固定用金具３０を、又、ユニットルームＡ’側に架設した横桟３３にコーナー天井部材１１’を取付金具３１とともにそれぞれビス２９…にて固定するのである。又、図２２に示すように、ユニットルームＡ’のルーム天井２を取付金具３１の載設片３１ａに載置してビス２９にて固定するのである。取付金具３１の載設片３１ａ及び縦片３４にわたって樹脂製の廻り縁３５を付設するのである。
【０００７】
この場合、載設片３１ａの下から打入したビス２９によってルーム天井（ルーム天井）２が突き上げられて、廻り縁３５との間の箇所Ｘに隙間が生じるやすいものである。
【０００８】
このように、従来のユニットルームの施工構造においては、施工性、仕上がり性に多くの問題があった。
【０００９】
【発明が解決しようとする課題】
本発明はこのような問題に鑑みてなされたものであり、施工性及び仕上がり性を向上させることができるユニットルームの施工構造を提供することを課題とするものである。
【００１０】
【課題を解決するための手段】
請求項１の発明においては、直方体形状に製作されたユニットルームＡにおいて、家屋の梁１に合致するルーム天井２及び背板２０も含めたルーム側壁３が構成しているコーナー天井部を切除して切除部５を形成し、切除部５において対向するルーム側壁３、３のＬ字状の切除縁６、６に沿って支持桟７、７を取り付け、対向する支持桟７、７間に切除部５に合致する断面Ｌ字状のコーナー天井部材１１を付設するユニットルームの施工構造であって、支持桟７にはＬ字状の切除縁６における横切除端面８に載設する載設片９及び切除縁６における縦切除端面１０に当接する当接片２３を設け、載設片９を横切除端面８に載設し、当接片２３を縦切除端面１０に当接させて支持桟７を切除縁６に沿って取り付け、対向している支持桟７、７間にコーナー天井部材１１を固定していることを特徴とするものである。
【００１１】
このような構成によれば、支持桟７の載設片９がＬ字状の切除縁６における横切除端面８に載設され、支持桟７の当接片２３がＬ字状の切除縁６における縦切除端面１０に当接されるのであり、支持桟７をＬ字状の切除縁６に位置決めした状態で取り付けることができ、施工性を高め、長期にわたって支持桟７の取り付けを安定化させ、ひいては断面Ｌ字状のコーナー天井部材１１の支持強度を高め、ユニットルームＡの商品価値を高めることができる。
【００１２】
請求項２の発明においては、Ｌ字状の支持桟７は、横片７１と縦片７２とで形成され、横片７１には載設片９が、縦片７２には当接片２３が形成され、横片７１及び縦片７２の突き合わせ端縁には斜めとなる斜め突き合わせ縁７３、７３が形成され、横片７１と縦片７２とが各々の斜め突き合わせ縁７３、７３において突き合わされていることを特徴とするものである。このような構成によれば、載設片９が形成された横片７１と当接片２３が形成された縦片７２とが互いに斜め突き合わせ縁７３、７３において突き合わされてＬ字状の支持桟７の形状維持が容易となり、かつ、支持桟７の構成が容易となる。
【００１３】
請求項３の発明においては、断面略Ｌ字状のコーナー天井部材１１は天井片１２と縦板片１３とで構成し、縦板片１３の上部内面に固定するルーム天井固定桟１４を上片１５、下片１６及び垂下片１７とで断面略Ｆ字状に形成し、上片１５及び下片１６との間の支持溝１８にルーム天井２の端部を挿入して上片１５、下片１６及びルーム天井２を貫通するビス１９にて固定していることを特徴とするものである。このような構成によれば、縦板片１３側に固定したルーム天井固定桟１４における上片１５及び下片１６で形成している支持溝１８にルーム天井２を挿入し、上片１５、ルーム天井２及び下片１６にビス１９を貫通させることで、ルーム天井２を固定することができ、この場合、ルーム天井２は支持溝１８に挿入されていてルーム天井２がビス１９によって突き上げられることがなく、従来のように、ルーム天井２の縁部において隙間が生じることがなく、仕上がり性を向上させることができる。
【００１４】
請求項４の発明においては、断面略Ｌ字状のコーナー天井部材１１は天井片１２と縦板片１３とで構成し、天井片１２の外端部を保持する天井片固定桟４０を上片材４１、下片材４２及び垂下片材４３とで断面略Ｆ字状に形成し、天井片固定桟４０の垂下片材４３をユニットルームＡの背板２０も含めたルーム側壁３に固定し、上片材４１及び下片材４２との間の支持溝４４に天井片１２の外端部を挿入して上片材４１、下片材４２及び天井片１２を貫通するビス１９にて固定していることを特徴とするものである。このような構成によれば、背板２０も含めたルーム側壁３に固定した天井片固定桟４０における上片材４１及び下片材４２で形成している支持溝４４に天井片１２を挿入し、上片材４１、天井片１２及び下片材４２にビス１９を貫通させることで、天井片１２を安定的に支持することができ、コーナー天井部材１１の取り付けを安定化させることができる。
【００１５】
請求項５の発明においては、ルーム天井固定桟１４又は天井片固定桟４０にユニットルームＡ内に突出して天井廻り縁２１を接続する接続突起２２を設けていることを特徴とするものである。このような構成によれば、ルーム天井２を固定するルーム天井固定桟１４又は天井片１２を固定する天井片固定桟４０を有効に利用することで、天井廻り縁２１を簡単・容易に取り付けることができる。
【００１６】
請求項６の発明においては、切除部５に臨むユニットルームＡの背板２０も含めルーム側壁３の切断上縁部に防水テープ２４を貼着していることを特徴とするものである。このような構成によれば、例えば、金属板４５を備えた背板２０も含めたルーム側壁３の切除端面を、例えば、アルミ箔テープのような防水テープ２４によって覆うことができ、防水ができ錆止めを図ることができる。
【００１７】
【発明の実施の形態】
以下、本発明の実施の形態を説明する。図１（ａ）は支持桟をユニットルームの切除部に取り付ける前の分解斜視図、同図（ｂ）は取り付け後の斜視図である。図２（ａ）は同上のユニットルームにおいて切除する箇所を示す説明図、同図（ｂ）はルーム側壁を切除する箇所を示す説明図である。図３（ａ）は同上の支持桟の横片を切除する箇所を点線で示す説明図、同図（ｂ）は支持桟の縦片を切除する箇所を点線で示す説明図である。
【００１８】
ユニットルームＡは直方体形状に製作されている例えばユニットバスルームである。ユニットルームＡは床板６５、背板２０も含めてルーム側壁３が四方において立設され、背板２０も含めたルーム側壁３…の上端にルーム天井２が付設されている。このようなユニットルームＡを家屋に据え付ける際に、家屋の梁１に合致するルーム天井２及び背板２０も含めたルーム側壁３が構成しているコーナー天井部を切除して切除部５を形成し、この切除部５に合致する断面Ｌ字状のコーナー天井部材１１を付設するのであり、このように梁１を避けてユニットルームＡを据え付けるのである。図２（ａ）において、矢印イは切除箇所を指示している。以下、詳述する。
【００１９】
ユニットルームＡの切除部５において対向しているルーム側壁３、３にはＬ字状の切除縁６、６が形成されて切除縁６、６にＬ字状の支持桟７、７が取り付けられる。
【００２０】
支持桟７は、横片７１と縦片７２とで形成され、横片７１にはＬ字状の切除縁６における横切除端面８に載設する載設片９と、ルーム側壁３への取付片５１と、コーナー天井部材１１を接続する接続片５２が形成されている。縦片７２にはＬ字状の切除縁６における縦切除端面１０に当接する当接片２３と、ルーム側壁３への取付用片５３と、コーナー天井部材１１を接続する接続用片５４が形成されている。横片７１及び縦片７２は図３（ａ）（ｂ）に示すように適宜の寸法に切断される。
【００２１】
しかして、図１（ａ）（ｂ）に示すように、横片７１の取付片５１に、又、縦片７２の取付用片５３に接着剤Ｂを塗布し、載設片９を横切除端面８に載設し、当接片２３を縦切除端面１０に当接させて横片７１及び縦片７２からなる支持桟７を切除縁６に沿って取り付けるのである。
【００２２】
この場合、横片７１が載設片９、取付片５１及び接続片５２を含めて全体が水平方向に対して斜めとなる斜め突き合わせ縁７３において一連に切断されている。又、縦片７２が当接片２３、取付用片５３及び接続用片５４を含めて全体が縦方向に対して斜めとなる斜め突き合わせ縁７３において一連に切断されている。横片７１及び縦片７２が斜めとなる斜め突き合わせ縁７３、７３において突き合わされている。しかして、載設片９が形成された横片７１と当接片２３が形成された縦片７２とが互いに斜め突き合わせ縁７３、７３において突き合わされてＬ字状の支持桟７の形状維持が容易となり、かつ、支持桟７の構成が容易となっている。
【００２３】
図５（ａ）及び図１０（ａ）（ｂ）に示すように、断面Ｌ字状のコーナー天井部材１１の両端部に設けている接続片材５５、５５を支持桟７の接続片５２及び接続用片５４にタッピングビス５６にて接続するのである。
このように、本発明においては、支持桟７にはＬ字状の切除縁６における横切除端面８に載設する載設片９及び切除縁６における縦切除端面１０に当接する当接片２３を設け、載設片９を横切除端面８に載設し、当接片２３を縦切除端面１０に当接させて支持桟７を切除縁６に沿って取り付け、対向している支持桟７、７間にコーナー天井部材１１を固定していることから、支持桟７の載設片９がＬ字状の切除縁６における横切除端面８に載設され、支持桟７の当接片２３がＬ字状の切除縁６における縦切除端面１０に当接されるのであり、支持桟７をＬ字状の切除縁６に位置決めした状態で取り付けることができ、施工性を高め、長期にわたって支持桟７の取り付けを安定化させ、ひいては断面Ｌ字状のコーナー天井部材１１の支持強度を高め、ユニットルームＡの商品価値を高めることができるのである。
図４に示すように、断面Ｌ字状のコーナー天井部材１１は天井片１２と縦板片１３とで構成され、各々の幅は梁１の大きさに応じて切断される。縦板片１３の上部内面に付設するルーム天井固定桟１４を上片１５、下片１６及び垂下片１７とで断面略Ｆ字状に形成している。図４（ａ）において、矢印ロはコーナー天井部材１１の切除箇所を指示している。
図１１に示すように、ルーム天井固定桟１４の上片１５及び下片１６との間の支持溝１８にルーム天井２の端部を挿入して上片１５、下片１６及びルーム天井２を貫通するビス１９にて固定している。ルーム天井固定桟１４はビス５７にてコーナー天井部材１１の縦板片１３の上部内面に固定される。ところで、ルーム天井２は図６及び図７に示すように、梁１の大きさに応じて切断されている。図６（ａ）において、矢印ハはルーム天井２の切除箇所を指示している。符号５９は天井用ジョイナーである。図１１（ａ）において、矢印トはルーム天井２とコーナー天井部材１１との接続箇所を指示している。
このように、ルーム天井２は支持溝１８に挿入されていてルーム天井２がビス１９によって突き上げられることがなく、従来のように、ルーム天井２の縁部において隙間が生じることがなく、仕上がり性を向上させることができる。
図５（ａ）（ｂ）及び図１０（ｃ）に示すように、断面略Ｌ字状のコーナー天井部材１１の天井片１２の外端部を保持する天井片固定桟４０を上片材４１、下片材４２及び垂下片材４３とで断面略Ｆ字状に形成している。天井片固定桟４０の上片材４１及び下片材４２との間の支持溝４４に天井片１２の外端部を挿入して上片材４１、下片材４２及び天井片１２を貫通するビス１９にて固定している。天井片固定桟４０の垂下片材４３は背板２０にビス５８にて固定される。背板２０は図８（ａ）の切断指示箇所ニにおいて同図（ｂ）（ｃ）に示すように、梁１の大きさに応じて切断され、又、図９に示すように、コーナージョイナー６０及び平ジョイナー６１も切断される。図１０（ａ）において、矢印ホはコーナー天井部材１１のルーム側壁３への接続箇所を指示し、矢印ヘはコーナー天井部材１１を背板２０に接続する箇所を指示している。
このように、天井片固定桟４０の支持溝４４に天井片１２を挿入し、上片材４１、天井片１２及び下片材４２にビス１９を貫通させることで、天井片１２を安定的に支持することができ、コーナー天井部材１１の取り付けを安定化させることができる。
図１３に示すように、ルーム天井固定桟１４及び天井片固定桟４０にユニットルームＡ内に突出して天井廻り縁２１を接続する接続突起２２を設けている。しかして、ルーム天井２を固定するルーム天井固定桟１４及び天井片１２を固定する天井片固定桟４０を有効に利用することで、天井廻り縁２１を簡単・容易に取り付けることができる。接続突起２２と天井廻り縁２１の接続形態は種々設計変更できるものである。図１３（ａ）において、矢印ヌは天井廻り縁２１の施工箇所を指示している。
図１２に示すように、上記天井廻り縁２１が付設される箇所以外の箇所を矢印チ及び矢印リで示していて、このような箇所に弾性を備えた廻り縁６６が冶具６２を介してハンマーにてルーム側壁３とコーナー天井部材１１との間に打ち込まれて水密を図っている。図１４に示すように、ルーム側壁３は例えば銅板のような金属板４５に石膏ボード６３を裏打ちした複合板を使用していて、このようなルーム側壁３の切断上縁部に例えばアルミ箔テープのような防水テープ２４を貼着して、金属板４５を備えた背板２０も含めたルーム側壁３の切除端面の水密性を確保して錆止めを図っている。図１５はルーム側壁３が薄い場合の例を示し、背板２０を含めてルーム側壁３の厚さが薄い場合に、スペーサ６４を接着して当てることで、図１４のルーム側壁３と同じ厚みにでき、弾性を備えた廻り縁６６における挿入深さを図１４の形態と同等にして水密性が低下されないようにしたものである。このような薄いルーム側壁３の切断端面においても防水テープ２４を貼着してもよい。
【００２４】
【発明の効果】
請求項１の発明においては、直方体形状に製作されたユニットルームにおいて、家屋の梁に合致するルーム天井及び背板も含めたルーム側壁が構成しているコーナー天井部を切除して切除部を形成し、切除部において対向するルーム側壁のＬ字状の切除縁に沿って支持桟を取り付け、対向する支持桟間に切除部に合致する断面Ｌ字状のコーナー天井部材を付設するユニットルームの施工構造であって、支持桟にはＬ字状の切除縁における横切除端面に載設する載設片及び切除縁における縦切除端面に当接する当接片を設け、載設片を横切除端面に載設し、当接片を縦切除端面に当接させて支持桟を切除縁に沿って取り付け、対向している支持桟間にコーナー天井部材を固定しているから、支持桟の載設片がＬ字状の切除縁における横切除端面に載設され、支持桟の当接片がＬ字状の切除縁における縦切除端面に当接されるのであり、支持桟をＬ字状の切除縁に位置決めした状態で取り付けることができ、施工性を高め、長期にわたって支持桟の取り付けを安定化させ、ひいては断面Ｌ字状のコーナー天井部材の支持強度を高め、ユニットルームの商品価値を高めることができるという利点がある。
【００２５】
請求項２の発明においては、請求項１の効果に加えて、Ｌ字状の支持桟は、横片と縦片とで形成され、横片には載設片が、縦片には当接片が形成され、横片及び縦片の突き合わせ端縁には斜めとなる斜め突き合わせ縁が形成され、横片と縦片とが各々の斜め突き合わせ縁において突き合わされているから、載設片が形成された横片と当接片が形成された縦片とが互いに斜め突き合わせ縁において突き合わされてＬ字状の支持桟の形状維持が容易となり、かつ、支持桟の構成が容易となるという利点がある。
【００２６】
請求項３の発明においては、請求項１の効果に加えて、断面略Ｌ字状のコーナー天井部材は天井片と縦板片とで構成し、縦板片１の上部内面に固定するルーム天井固定桟を上片、下片及び垂下片とで断面略Ｆ字状に形成し、上片及び下片との間の支持溝にルーム天井の端部を挿入して上片、下片及びルーム天井を貫通するビスにて固定しているから、縦板片側に固定したルーム天井固定桟における上片及び下片で形成している支持溝にルーム天井を挿入し、上片、ルーム天井及び下片にビスを貫通させることで、ルーム天井を固定することができ、この場合、ルーム天井は支持溝に挿入されていてルーム天井がビスによって突き上げられることがなく、従来のように、ルーム天井の縁部において隙間が生じることがなく、仕上がり性を向上させることができるという利点がある。
【００２７】
請求項４の発明においては、請求項１の効果に加えて、断面略Ｌ字状のコーナー天井部材は天井片と縦板片とで構成し、天井片の外端部を保持する天井片固定桟を上片材、下片材及び垂下片材とで断面略Ｆ字状に形成し、天井片固定桟の垂下片材をユニットルームの背板も含めたルーム側壁に固定し、上片材及び下片材との間の支持溝に天井片の外端部を挿入して上片材、下片材及び天井片を貫通するビスにて固定しているから、背板も含めたルーム側壁に固定した天井片固定桟の支持溝に天井片を挿入し、上片材、天井片及び下片材にビスを貫通させることで、天井片を安定的に支持することができ、コーナー天井部材の取り付けを安定化させることができるという利点がある。
【００２８】
請求項５の発明においては、請求項３又は４の効果に加えて、ルーム天井固定桟又は天井片固定桟にユニットルーム内に突出して天井廻り縁を接続する接続突起を設けているから、ルーム天井を固定するルーム天井固定桟又は天井片を固定する天井片固定桟を有効に利用することで、天井廻り縁を簡単・容易に取り付けることができるという利点がある。
【００２９】
請求項６の発明においては、請求項１の効果に加えて、切除部５に臨むユニットルームのルーム側壁の切断上縁部に防水テープを貼着しているから、例えば、金属板を備えた背板も含めたルーム側壁の切除端面を、例えば、アルミ箔テープのような防水テープによって覆うことができ、防水ができ錆止めを図ることができるという利点がある。
【図面の簡単な説明】
【図１】本発明の実施の一形態を示し、（ａ）は支持桟をユニットルームの切除部に取り付ける前の分解斜視図、（ｂ）は取り付け後の斜視図である。
【図２】（ａ）は同上のユニットルームにおいて切除する箇所を示す説明図、（ｂ）はルーム側壁を切除する箇所を示す説明図である。
【図３】（ａ）は同上の支持桟の横片を切除する箇所を示す説明図、（ｂ）は支持桟の縦片を切除する箇所を示す説明図である。
【図４】（ａ）は同上のコーナー天井部材の切除箇所を示す説明図、（ｂ）はコーナー天井部材の側断面図である。
【図５】（ａ）は同上のコーナー天井部材の天井片を天井片固定桟に保持させる前の分解斜視図、（ｂ）は保持後の側断面図である。
【図６】（ａ）は同上のユニットルームのルーム天井を切除する箇所を示す説明図、（ｂ）は切除する作用を示す説明図である。
【図７】（ａ）は同上の切除後のルーム天井を天井固定桟にて保持する作用を示す分解斜視図、（ｂ）は保持後の側断面図である。
【図８】（ａ）は同上の梁下パネルとなる背板を切除する箇所を示す説明図、（ｂ）は切除後の背板に天井固定桟を取り付ける作用を示す側断面図、（ｃ）は斜視図である。
【図９】（ａ）は同上のコーナージョイナーの切除作用を示す説明図、（ｂ）は平ジョイナーの切除作用を示す説明図である。
【図１０】（ａ）は同上のコーナー天井部材のルーム側壁及び背板への取り付け箇所を示す説明図、（ｂ）はコーナー天井部材をルーム側壁に取り付ける作用を示す説明図、（ｃ）は背板との取り付けを示す説明図である。
【図１１】（ａ）は同上のルーム天井をコーナー天井部材に取り付ける箇所を示す説明図、（ｂ）はルーム天井をコーナー天井部材に取り付ける作用を示す説明図、（ｃ）は取り付け後の説明図である。
【図１２】（ａ）は同上の天井廻し縁の打ち込み箇所を示す説明図、（ｂ）（ｃ）は作用を示す説明図である。
【図１３】（ａ）は同上の廻り縁の打ち込み箇所を示す説明図、（ｂ）（ｃ）は作用を示す説明図である。
【図１４】同上のルーム側壁の厚さが厚い場合にその切除端面に防水テープを貼着した断面図である。
【図１５】同上のルーム側壁の厚さが薄い場合の施工形態を示す断面図である。
【図１６】従来例を示し、（ａ）はユニットルームにおいて切除する箇所を示す説明図、（ｂ）は支持桟を切除部に取着する作用を示す説明図、（ｃ）は上枠を切除部に取着する作用を示す説明図である。
【図１７】同上のコーナー天井部材の製作を示す分解斜視図である。
【図１８】同上の補強プレートを取り付ける作用を示す分解斜視図である。
【図１９】同上の固定用金具を取り付ける作用を示す分解斜視図である。
【図２０】同上の取付金具を取り付ける作用を示す分解斜視図である。
【図２１】同上のコーナー天井部材を切除部に取り付ける作用を示す分解斜視図である。
【図２２】同上の取り付け後の要部の断面図である。
【符号の説明】
１　　梁
２　　ルーム天井
３　　ルーム側壁
５　　切除部
６　　切除縁
７　　支持桟
８　　横切除端面
９　　載設片
１０　縦切除端面
１１　コーナー天井部材
２３　当接片
【図１】
2004052465.tif 000003
【図２】
2004052465.tif 000004
【図３】
2004052465.tif 000005
【図４】
2004052465.tif 000006
【図５】
2004052465.tif 000007
【図６】
2004052465.tif 000008
【図７】
2004052465.tif 000009
【図８】
2004052465.tif 000010
【図９】
2004052465.tif 000011
【図１０】
2004052465.tif 000012
【図１１】
2004052465.tif 000013
【図１２】
2004052465.tif 000014
【図１３】
2004052465.tif 000015
【図１４】
2004052465.tif 000016
【図１５】
2004052465.tif 000017
【図１６】
2004052465.tif 000018
【図１７】
2004052465.tif 000019
【図１８】
2004052465.tif 000020
【図１９】
2004052465.tif 000021
【図２０】
2004052465.tif 000022
【図２１】
2004052465.tif 000023
【図２２】
2004052465.tif 000024